(57)【要約】【課題】ユーザが意識せずに、簡単なオフフック操作をするだけでマルチライン機能を有する電話機における電話帳機能による発信又は着信呼への応答を適宜行える、電話機の発信システム及び発信方法を提供する。【解決手段】電話機１の電話帳操作部７が操作され、電話帳部６に記録されている電話番号データが表示部１０に表示され、ハンドセット８が持ち上げられると、電話機１は、制御部１１の処理を経て、ラインインターフェース１２を介して、構内交換機２に、電話帳機能により発信されようとしていることを伝える。制御部３は、電話機１のマルチラインの着信中状態・通話中状態・空き状態を検索し、空き状態であれば、ラインインターフェース４を介して、電話機１にダイヤル送出する指示を出す。電話機１は、表示部１０に表示された電話番号を、ラインインターフェース１２を介して、構内交換機２に送出し、ダイヤル発信を行う。【選択図】        図１
2004328522.tif 000002
【特許請求の範囲】
【請求項１】
電子電話帳を用いて発信ができる電話帳発信機能と、複数の電話番号により発着信ができるマルチライン機能と、を有する電話機と、
前記電話機との間で情報のやりとりをするための１又は複数のインターフェースを有する構内交換機又はコールマネージャと、を有する電話機の発信システムであって、
前記構内交換機又はコールマネージャは、
前記電話機のマルチラインにおける着信中状態と通話中状態と空き状態とを把握し、前記マルチラインにおいて空き状態のラインがある場合に該空き状態のラインにより前記電話帳発信機能による発信を行わせる制御部を有することを特徴とする電話機の発信システム。
【請求項２】
前記制御部は、
前記電話帳発信機能による発信操作がなされた時、前記マルチラインにおいて空き状態のラインがある場合に、前記インターフェースを介して前記電話機に対して、前記空き状態のラインによるダイヤル送出を指示することを特徴とする請求項１記載の電話機の発信システム。
【請求項３】
前記電話機は、
前記ダイヤル送出の指示を受け取るまで待機し、
該指示を受け取ると、前記電子電話帳から選択された電話番号を、前記構内交換機又は前記コールマネージャに送出して前記電話帳発信機能による発信を実行することを特徴とする請求項２記載の電話機の発信システム。
【請求項４】
前記制御部は、
前記電話帳発信機能による発信操作がなされた時、前記マルチラインにおいて空き状態のラインがある場合に、前記構内交換機又はコールマネージャに対して、前記電子電話帳から選択された電話番号により前記空き状態のラインでダイヤル発信する指示を出すことを特徴とする請求項１記載の電話機の発信システム。
【請求項５】
前記電話機は、
複数の電話番号によるマルチライン発着信をするためのマルチライン部と、
電話番号データを記録する電話帳部と、
前記電話帳部に記録された前記電話番号データを表示する表示部と、
ユーザに操作されて前記電話帳部に記録された前記電話番号データを前記表示部に表示させる電話帳操作部と、
受信機と送信機とを有するハンドセットと、
前記ハンドセットが持ち上げられると、回線を通話可能状態に切り替えるフックスイッチと、
前記構内交換機又は前記コールマネージャとの間で情報のやりとりをするための１又は複数のインターフェースと、
前記マルチライン部及び／または前記電話帳部及び／または前記表示部及び／または前記電話帳操作部及び／または前記ハンドセット及び／または前記フックスイッチ及び／または前記インターフェースを制御する制御部と、を有することを特徴とする請求項１から４記載の電話機の発信システム。
【請求項６】
前記構内交換機又は前記コールマネージャは、
電話番号データを記録する電話帳部を有することを特徴とする請求項１から５のいずれか１項に記載の電話機の発信システム。
【請求項７】
デジタルコードレス接続装置をさらに有し、
前記電話機は、
デジタルコードレス無線部を有し、
前記構内交換機又はコールマネージャの前記インターフェースの少なくとも１つは、デジタルコードレスインターフェースであり、
該電話機は、前記デジタルコードレス接続装置を介して、前記構内交換機又はコールマネージャと接続されることを特徴とする請求項１から６のいずれか１項に記載の電話機の発信システム。
【請求項８】
前記電話機及び／または前記構内交換機若しくは前記コールマネージャの前記インターフェースの少なくとも１つは、ＩＰインターフェースであって、
前記電話機と、前記構内交換機又は前記コールマネージャと、がＩＰネットワークを介して接続されることを特徴とする請求項１から７のいずれか１項に記載の電話機の発信システム。
【請求項９】
電話番号データを記録する電話帳部を有する電話帳サーバをさらに有し、
該電話帳サーバは、前記ＩＰネットワークを介して、前記電話機と、前記構内交換機又はコールマネージャと、に接続されることを特徴とする請求項８記載の電話機の発信システム。
【請求項１０】
無線ＬＡＮ接続装置をさらに有し、
前記電話機の前記インターフェースの少なくとも１つは、無線ＬＡＮインターフェースであって、
該電話機は、前記無線ＬＡＮ接続装置を介して、前記構内交換機又はコールマネージャに接続されることを特徴とする請求項８または９記載の電話機の発信システム。
【請求項１１】
前記電話帳部に記録された前記電話番号データが前記表示部に表示され、前記フックスイッチがオフフックになると、前記電話帳機能を用いた発信が行われようとしていることが前記構内交換機又は前記コールマネージャに伝えられることを特徴とする請求項５から１０のいずれか１項に記載の電話機の発信システム。
【請求項１２】
前記電話帳機能を用いた発信が行われようとしていることの伝達は、
前記電話機の制御部が、前記電話帳部に記録された前記電話番号データが前記表示部に表示されたという情報と、前記フックスイッチがオフフックであるという情報とを、前記電話機の前記インターフェースを介して、前記構内交換機又は前記コールマネージャに伝えることにより行われることを特徴とする請求項５から１１のいずれか１項に記載の電話機の発信システム。
【請求項１３】
前記構内交換機又は前記コールマネージャの前記制御部は、
前記電話帳機能を用いた発信が行われようとしていることが前記構内交換機又は前記コールマネージャに伝えられると、前記電話機のマルチラインの着信中状態と通話中状態と空き状態とを検索することを特徴とする請求項５から１２のいずれか１項記載の電話機の発信システム。
【請求項１４】
前記構内交換機又は前記コールマネージャの前記制御部は、
前記電話機のマルチラインが空き状態の場合、前記構内交換機又は前記コールマネージャの前記インターフェースを介して、前記電話機に前記表示部に表示された前記電話番号によるダイヤル送出を指示することを特徴とする請求１３記載の電話機の発信システム。
【請求項１５】
前記電話機は、
前記構内交換機又は前記コールマネージャから前記ダイヤル送出の指示を受けると、前記表示部に表示された前記電話番号を、前記電話機の前記インターフェースを介して、前記構内交換機又は前記コールマネージャに送出し、前記空き状態のラインを用いて該電話番号による発信を実行することを特徴とする請求１４記載の電話機の発信システム。
【請求項１６】
前記構内交換機又は前記コールマネージャが、前記表示部に表示された電話番号を含む電話帳ダイヤル発信情報を前記電話機から受け取り、
前記構内交換機又は前記コールマネージャの前記制御部は、
前記電話機のマルチラインが空き状態の場合、前記構内交換機又は前記コールマネージャに対して前記表示部に表示された前記電話番号による発信を指示し、前記空き状態のラインを用いて該電話番号による発信を実行することを特徴とする請求項１３記載の電話機の発信システム。
【請求項１７】
前記電話番号による発信は、
前記構内交換機又は前記コールマネージャが前記電話機から受け取った電話帳ダイヤル発信情報に含まれる前記表示部に表示された電話番号を用いて行われることを特徴とする請求項１６記載の電話機の発信システム。
【請求項１８】
前記電話機は、
ハンドセットの外部にあるスピーカとマイクとを用いて通話するためのハンズフリー機能をさらに有し、
前記電話帳部に記録された前記電話番号データが前記表示部に表示され、前記ハンズフリー機能による通話に切り替えるためのスピーカボタンが押下されると、前記電話帳機能を用いた発信が行われようとしていることが前記構内交換機又はコールマネージャに伝えられることを特徴とする請求項５から１７のいずれか１項に記載の電話機の発信システム。
【請求項１９】
前記電話帳機能を用いた発信が行われようとしていることの伝達は、
前記電話機の制御部が、前記電話帳部に記録された前記電話番号データが前記表示部に表示されたという情報と、前記ハンズフリー機能による通話に切り替えるためのスピーカボタンが押下されたという情報とを、前記電話機の前記インターフェースを介して、前記構内交換機又は前記コールマネージャに伝えることにより行われることを特徴とする請求項１８記載の電話機の発信システム。
【請求項２０】
前記電話機は、
ヘッドセットを用いて通話するためのヘッドセット機能をさらに有し、
前記電話帳部に記録された前記電話番号データが前記表示部に表示され、前記ヘッドセット機能による通話に切り替えるためのヘッドセットボタンが押下されると、前記電話帳機能を用いた発信が行われようとしていることが前記構内交換機又は前記コールマネージャに伝えられることを特徴とする請求項５から１９のいずれか１項に記載の電話機の発信システム。
【請求項２１】
前記電話帳機能を用いた発信が行われようとしていることの伝達は、
前記電話機の制御部が、前記電話帳部に記録された前記電話番号データが前記表示部に表示されたという情報と、前記ヘッドセット機能による通話に切り替えるためのヘッドセットボタンが押下されたという情報とを、前記電話機の前記インターフェースを介して、前記構内交換機又は前記コールマネージャに伝えることにより行われることを特徴とする請求項２０記載の電話機の発信システム。
【請求項２２】
電子電話帳を用いて発信ができる電話帳発信機能と、複数の電話番号により発着信ができるマルチライン機能と、を有する電話機の電話帳部に記録されている複数の電話番号データの中から、特定の電話番号を選択し、該電話番号を前記電話機の表示部に表示するステップと、
前記電話機のフックスイッチをオフフックにするステップと、
前記表示部に前記電話番号が表示されたことと、前記フックスイッチがオフフックされたことと、を前記電話機から構内交換機又はコールマネージャへ伝えるステップと、
前記構内交換機又は前記コールマネージャからのダイヤル送出の指示を受け取るまで前記電話機を待機させるステップと、
前記構内交換機又は前記コールマネージャの制御部により前記電話機のマルチラインにおける着信中状態と通話中状態と空き状態とを判断するステップと、
前記マルチラインにおいて空き状態のラインがある場合に前記構内交換機又は前記コールマネージャから前記電話機にダイヤル送出の指示を行うステップと、前記電話機が、前記ダイヤル送出の指示を前記構内交換機又は前記コールマネージャから受け取ると、前記表示部に表示された前記電話番号を、前記構内交換機又はコールマネージャに送出して、ダイヤル発信を行うステップと、
前記マルチラインにおいて空き状態のラインがなく、着信中状態または通話中状態の場合は、前記ダイヤル送出の指示を行わず、ダイヤル発信の処理を中止するステップと、を有することを特徴とする電話機の発信方法。
【請求項２３】
電子電話帳を用いて発信ができる電話帳発信機能と、複数の電話番号により発着信ができるマルチライン機能と、ハンドセットの外部にあるスピーカとマイクとを用いて通話するためのハンズフリー機能と、を有する電話機の電話帳部に記録されている複数の電話番号データの中から、特定の電話番号を選択し、該電話番号を前記電話機の表示部に表示するステップと、
前記ハンズフリー機能による通話に切り替えるためのスピーカボタンが押下されるステップと、
前記表示部に前記電話番号が表示されたことと、前記スピーカボタンが押下されたことと、を前記電話機から構内交換機又はコールマネージャへ伝えるステップと、
前記構内交換機又は前記コールマネージャからのダイヤル送出の指示を受け取るまで前記電話機を待機させるステップと、
前記構内交換機又は前記コールマネージャの制御部により前記電話機のマルチラインにおける着信中状態と通話中状態と空き状態とを判断するステップと、
前記マルチラインにおいて空き状態のラインがある場合に前記構内交換機又は前記コールマネージャから前記電話機にダイヤル送出の指示を行うステップと、前記電話機が、前記ダイヤル送出の指示を前記構内交換機又は前記コールマネージャから受け取ると、前記表示部に表示された前記電話番号を、前記構内交換機又はコールマネージャに送出して、ダイヤル発信を行うステップと、
前記マルチラインにおいて空き状態のラインがなく、着信中状態または通話中状態の場合は、前記ダイヤル送出の指示を行わず、ダイヤル発信の処理を中止するステップと、を有することを特徴とする電話機の発信方法。
【請求項２４】
電子電話帳を用いて発信ができる電話帳発信機能と、複数の電話番号により発着信ができるマルチライン機能と、ヘッドセットを用いて通話するためのヘッドセット機能と、を有する電話機の電話帳部に記録されている複数の電話番号データの中から、特定の電話番号を選択し、該電話番号を前記電話機の表示部に表示するステップと、
前記ヘッドセット機能による通話に切り替えるためのヘッドセットボタンが押下されるステップと、
前記表示部に前記電話番号が表示されたことと、前記ヘッドセットボタンが押下されたことと、を前記電話機から構内交換機又はコールマネージャへ伝えるステップと、
前記構内交換機又は前記コールマネージャからのダイヤル送出の指示を受け取るまで前記電話機を待機させるステップと、
前記構内交換機又は前記コールマネージャの制御部により前記電話機のマルチラインにおける着信中状態と通話中状態と空き状態とを判断するステップと、
前記マルチラインにおいて空き状態のラインがある場合に前記構内交換機又は前記コールマネージャから前記電話機にダイヤル送出の指示を行うステップと、前記電話機が、前記ダイヤル送出の指示を前記構内交換機又は前記コールマネージャから受け取ると、前記表示部に表示された前記電話番号を、前記構内交換機又は前記コールマネージャに送出して、ダイヤル発信を行うステップと、
前記マルチラインにおいて空き状態のラインがなく、着信中状態または通話中状態の場合は、前記ダイヤル送出の指示を行わず、ダイヤル発信の処理を中止するステップと、を有することを特徴とする電話機の発信方法。
【請求項２５】
マルチライン機能と電話帳機能とを有する電話機の電話帳部に記録されている複数の電話番号データの中から、特定の電話番号を選択し、該電話番号を前記電話機の表示部に表示するステップと、
前記電話機のフックスイッチをオフフックにするステップと、
前記表示部に前記電話番号が表示されたことと前記フックスイッチがオフフックされたこととを前記電話機から構内交換機又はコールマネージャへ伝えるステップと、
前記表示部に表示された電話番号を含む電話帳ダイヤル発信情報を、前記構内交換機又は前記コールマネージャへ伝えるステップと、
前記構内交換機又は前記コールマネージャの制御部により前記電話機のマルチラインにおける着信中状態と通話中状態と空き状態とを判断するステップと、
前記マルチラインにおいて空き状態のラインがある場合に前記電話帳ダイヤル発信情報の中に含まれる前記電話番号を用いて前記空き状態のラインでダイヤル発信するステップと、
前記マルチラインにおいて空き状態のラインがなく、着信中状態または通話中状態の場合は、前記ダイヤル発信を中止することを特徴とする電話機の発信方法。
【請求項２６】
前記電話帳ダイヤル発信情報の先頭と末尾に、通常のダイヤルボタンによる発信と区別できる識別符号が付与することを特徴とする請求項２５記載の電話機の発信方法。
【請求項２７】
電子電話帳を用いて発信ができる電話帳発信機能と、複数の電話番号により発着信ができるマルチライン機能と、ハンドセットの外部にあるスピーカとマイクとを用いて通話するためのハンズフリー機能と、を有する電話機の電話帳部に記録されている複数の電話番号データの中から、特定の電話番号を選択し、該電話番号を前記電話機の表示部に表示するステップと、
前記ハンズフリー機能による通話に切り替えるためのスピーカボタンが押下されるステップと、
前記表示部に前記電話番号が表示されたことと、前記スピーカボタンが押下されたことと、を前記電話機から構内交換機又はコールマネージャへ伝えるステップと、
前記表示部に表示された電話番号を含む電話帳ダイヤル発信情報を、前記構内交換機又は前記コールマネージャへ伝えるステップと、
前記構内交換機又は前記コールマネージャの制御部により前記電話機のマルチラインにおける着信中状態と通話中状態と空き状態とを判断するステップと、
前記マルチラインにおいて空き状態のラインがある場合に前記電話帳ダイヤル発信情報の中に含まれる前記電話番号を用いて前記空き状態のラインでダイヤル発信するステップと、
前記マルチラインにおいて空き状態のラインがなく、着信中状態または通話中状態の場合は、前記ダイヤル発信を中止するステップと、を有することを特徴とする電話機の発信方法。
【請求項２８】
電子電話帳を用いて発信ができる電話帳発信機能と、複数の電話番号により発着信ができるマルチライン機能と、ヘッドセットを用いて通話するためのヘッドセット機能と、を有する電話機の電話帳部に記録されている複数の電話番号データの中から、特定の電話番号を選択し、該電話番号を前記電話機の表示部に表示するステップと、
前記ヘッドセット機能による通話に切り替えるためのヘッドセットボタンが押下されるステップと、
前記表示部に前記電話番号が表示されたことと、前記ヘッドセットボタンが押下されたことと、を前記電話機から構内交換機又はコールマネージャへ伝えるステップと、
前記表示部に表示された電話番号を含む電話帳ダイヤル発信情報を、前記構内交換機又は前記コールマネージャへ伝えるステップと、
前記構内交換機又は前記コールマネージャの制御部により前記電話機のマルチラインにおける着信中状態と通話中状態と空き状態とを判断するステップと、
前記マルチラインにおいて空き状態のラインがある場合に前記電話帳ダイヤル発信情報の中に含まれる前記電話番号を用いて前記空き状態のラインでダイヤル発信するステップと、
前記マルチラインにおいて空き状態のラインがなく、着信中状態または通話中状態の場合は、前記ダイヤル発信を中止するステップと、を有することを特徴とする電話機の発信方法。
【発明の詳細な説明】
【０００１】
【発明の属する技術分野】
本発明は、電話機の発信システム及び発信方法に関し、特に、電話帳機能とマルチライン機能とを有する電話機の発信システム及び発信方法に関する。
【０００２】
【従来の技術】
電話帳機能（以下、単に電話帳という）を有する電話機は、かつては、構内交換機側や、ＩＰ接続された外部サーバ側に電話帳を有していた。しかし、近年になると、携帯電話機等のように電話機側に電子電話帳を内蔵することが要請されるようになった。
【０００３】
この要請に応えるために、従来、電話帳部と同時にオフフック検出回路と電話機切替回路を内蔵し、オフフックを検出し、電話帳を選択する装置が提案されている（例えば、特許文献１参照）。この装置によると、画面上に表示した電話帳データより相手先電話番号を選択・決定した後、使用者が受話器をオフフックすると、オフフックが検出され、電話回線が電話番号発信回路に切り替えられ、ダイヤル発信が行われる。
【０００４】
しかし、この手法は、後述する本発明の一実施形態を説明するための図３及び図４との比較から明らかなように、ラインが空き状態かどうかの判断をすることと、構内交換機からのダイヤル送出の指示を受け取るという構成を有していない。
【０００５】
このため、上記従来の手法によると、複数の電話番号でマルチライン発着信できるマルチライン機能を有する電話機では、構内交換機が着信呼に対して着信動作に移行しても、ユーザが着信に気付かずに、電話帳からのダイヤル発信動作としてオフフックしたら、構内交換機は応答のオフフックか電話帳ダイヤル発信のオフフックかを判断できない。
【０００６】
よって、上記従来の手法によると、１つのマルチライン電話番号２８が着信中状態の時に、ユーザが、空きラインの電話番号２９から、電話帳からのダイヤル発信動作としてオフフックする時、そのオフフックが電話番号２８への着信動作と判断され、電話番号２８に着信した相手との通話中となり、その後、通話相手にダイヤル送出してしまう（図１５参照）。その結果、電話番号２８に着信した通話相手に対して、電話帳ダイヤルのＰＢ音が送出されるという欠点となる。
【０００７】
この点、上記のようなＰＢ音が送出される欠点の解決策として、電話帳からの電話帳ダイヤル発信のための特殊発信ボタンと、着信呼に対する応答のための特殊応答ボタンを電話機に追加する方法がある。
【０００８】
【特許文献１】
特開２０００−２２７９９号公報
【０００９】
【発明が解決しようとする課題】
しかしながら、この方法での電話帳からのダイヤル発信動作は、オフフック後に特殊発信ボタン押下する２アクションとなる。また、電話帳を開いている時の応答も、オフフック後に特殊応答ボタン押下する２アクションとなる。このように、上記の解決策には、動作が２アクションとなりユーザは操作を煩雑に感じるという欠点がある。
【００１０】
そこで、本発明は、構内交換機側で電話機のマルチラインの呼状態を把握することで、ユーザが、電話帳からのダイヤル発信か着信呼に対する応答かを意識せずに簡単な操作のオフフックだけで、電話帳からのダイヤル発信、又は、着信呼に応答することができるようにすることを目的とする。
すなわち、本発明の目的は、電話機のマルチラインの呼状態（着信中、通話中、空き）を構内交換機側で把握し、構内交換機からの指示に従って発信することにより、ユーザが、簡単な操作で電話帳からのダイヤル発信ができる、電話帳機能とマルチライン機能とを有する電話機の発信システム及び発信方法を提供することにある。
【００１１】
【課題を解決するための手段】
上記の目的を達成するために、請求項１記載の発明によれば、電話機の発信システムは、電子電話帳を用いて発信ができる電話帳発信機能と、複数の電話番号により発着信ができるマルチライン機能と、を有する電話機と、電話機との間で情報のやりとりをするための１又は複数のインターフェースを有する構内交換機又はコールマネージャと、を有する電話機の発信システムであって、構内交換機又はコールマネージャは、電話機のマルチラインにおける着信中状態と通話中状態と空き状態とを把握し、マルチラインにおいて空き状態のラインがある場合に空き状態のラインにより電話帳発信機能による発信を行わせる制御部を有することを特徴とするものである。
【００１２】
請求項２記載の発明によれば、電話機の発信システムは、制御部は、電話帳発信機能による発信操作がなされた時、マルチラインにおいて空き状態のラインがある場合に、インターフェースを介して電話機に対して、空き状態のラインによるダイヤル送出を指示する請求項１記載の電話機の発信システムであることを特徴とするものである。
【００１３】
請求項３記載の発明によれば、電話機の発信システムは、電話機は、ダイヤル送出の指示を受け取るまで待機し、指示を受け取ると、電子電話帳から選択された電話番号を、構内交換機又はコールマネージャに送出して電話帳発信機能による発信を実行する請求項２記載の電話機の発信システムであることを特徴とするものである。
【００１４】
請求項４記載の発明によれば、電話機の発信システムは、制御部は、電話帳発信機能による発信操作がなされた時、マルチラインにおいて空き状態のラインがある場合に、構内交換機又はコールマネージャに対して、電子電話帳から選択された電話番号により空き状態のラインでダイヤル発信する指示を出す請求項１記載の電話機の発信システムであることを特徴とするものである。
【００１５】
請求項５記載の発明によれば、電話機の発信システムは、電話機は、複数の電話番号によるマルチライン発着信をするためのマルチライン部と、電話番号データを記録する電話帳部と、電話帳部に記録された電話番号データを表示する表示部と、ユーザに操作されて電話帳部に記録された電話番号データを表示部に表示させる電話帳操作部と、受信機と送信機とを有するハンドセットと、ハンドセットが持ち上げられると、回線を通話可能状態に切り替えるフックスイッチと、構内交換機又はコールマネージャとの間で情報のやりとりをするための１又は複数のインターフェースと、マルチライン部及び／または電話帳部及び／または表示部及び／または電話帳操作部及び／またはハンドセット及び／またはフックスイッチ及び／またはインターフェースを制御する制御部と、を有する請求項１から４記載の電話機の発信システムであることを特徴とするものである。
【００１６】
請求項６記載の発明によれば、電話機の発信システムは、構内交換機又はコールマネージャは、電話番号データを記録する電話帳部を有する請求項１から５のいずれか１項に記載の電話機の発信システムであることを特徴とするものである。
【００１７】
請求項７記載の発明によれば、電話機の発信システムは、デジタルコードレス接続装置をさらに有し、電話機は、デジタルコードレス無線部を有し、構内交換機又はコールマネージャのインターフェースの少なくとも１つは、デジタルコードレスインターフェースであり、電話機は、デジタルコードレス接続装置を介して、構内交換機又はコールマネージャと接続される請求項１から６のいずれか１項に記載の電話機の発信システムであることを特徴とするものである。
【００１８】
請求項８記載の発明によれば、電話機の発信システムは、電話機及び／または構内交換機若しくはコールマネージャのインターフェースの少なくとも１つは、ＩＰインターフェースであって、電話機と、構内交換機又はコールマネージャと、がＩＰネットワークを介して接続される請求項１から７のいずれか１項に記載の電話機の発信システムであることを特徴とするものである。
【００１９】
請求項９記載の発明によれば、電話機の発信システムは、電話番号データを記録する電話帳部を有する電話帳サーバをさらに有し、電話帳サーバは、ＩＰネットワークを介して、電話機と、構内交換機又はコールマネージャと、に接続される請求項８記載の電話機の発信システムであることを特徴とするものである。
【００２０】
請求項１０記載の発明によれば、電話機の発信システムは、無線ＬＡＮ接続装置をさらに有し、電話機の前記インターフェースの少なくとも１つは、無線ＬＡＮインターフェースであって、電話機は、無線ＬＡＮ接続装置を介して、構内交換機又はコールマネージャに接続される請求項８または９記載の電話機の発信システムであることを特徴とするものである。
【００２１】
請求項１１記載の発明によれば、電話機の発信システムは、電話帳部に記録された電話番号データが表示部に表示され、フックスイッチがオフフックになると、電話帳機能を用いた発信が行われようとしていることが構内交換機又はコールマネージャに伝えられる請求項５から１０のいずれか１項に記載の電話機の発信システムであることを特徴とするものである。
【００２２】
請求項１２記載の発明によれば、電話機の発信システムは、電話帳機能を用いた発信が行われようとしていることの伝達は、電話機の制御部が、電話帳部に記録された電話番号データが表示部に表示されたという情報と、フックスイッチがオフフックであるという情報とを、電話機のインターフェースを介して、構内交換機又はコールマネージャに伝えることにより行われる請求項５から１１のいずれか１項に記載の電話機の発信システムであることを特徴とするものである。
【００２３】
請求項１３記載の発明によれば、電話機の発信システムは、構内交換機又はコールマネージャの制御部は、電話帳機能を用いた発信が行われようとしていることが構内交換機又はコールマネージャに伝えられると、電話機のマルチラインの着信中状態と通話中状態と空き状態とを検索する請求項５から１２のいずれか１項記載の電話機の発信システムであることを特徴とするものである。
【００２４】
請求項１４記載の発明によれば、電話機の発信システムは、構内交換機又はコールマネージャの制御部は、電話機のマルチラインが空き状態の場合、構内交換機又はコールマネージャのインターフェースを介して、電話機に表示部に表示された電話番号によるダイヤル送出を指示する請求１３記載の電話機の発信システムであることを特徴とするものである。
【００２５】
請求項１５記載の発明によれば、電話機の発信システムは、電話機は、構内交換機又はコールマネージャからダイヤル送出の指示を受けると、表示部に表示された電話番号を、電話機のインターフェースを介して、構内交換機又はコールマネージャに送出し、空き状態のラインを用いて電話番号による発信を実行する請求１４記載の電話機の発信システムであることを特徴とするものである。
【００２６】
請求項１６記載の発明によれば、電話機の発信システムは、構内交換機又はコールマネージャが、表示部に表示された電話番号を含む電話帳ダイヤル発信情報を電話機から受け取り、構内交換機又はコールマネージャの制御部は、電話機のマルチラインが空き状態の場合、構内交換機又はコールマネージャに対して表示部に表示された電話番号による発信を指示し、空き状態のラインを用いて電話番号による発信を実行する請求項１３記載の電話機の発信システムであることを特徴とするものである。
【００２７】
請求項１７記載の発明によれば、電話機の発信システムは、電話番号による発信は、構内交換機又はコールマネージャが電話機から受け取った電話帳ダイヤル発信情報に含まれる表示部に表示された電話番号を用いて行われる請求項１６記載の電話機の発信システムであることを特徴とするものである。
【００２８】
請求項１８記載の発明によれば、電話機の発信方法は、電話機は、ハンドセットの外部にあるスピーカとマイクとを用いて通話するためのハンズフリー機能をさらに有し、電話帳部に記録された電話番号データが表示部に表示され、ハンズフリー機能による通話に切り替えるためのスピーカボタンが押下されると、電話帳機能を用いた発信が行われようとしていることが構内交換機又はコールマネージャに伝えられる請求項５から１７のいずれか１項に記載の電話機の発信システムであることを特徴とするものである。
【００２９】
請求項１９記載の発明によれば、電話機の発信方法は、電話帳機能を用いた発信が行われようとしていることの伝達は、電話機の制御部が、電話帳部に記録された電話番号データが表示部に表示されたという情報と、ハンズフリー機能による通話に切り替えるためのスピーカボタンが押下されたという情報とを、電話機のインターフェースを介して、構内交換機又はコールマネージャに伝えることにより行われる請求項１８記載の電話機の発信システムであることを特徴とするものである。
【００３０】
請求項２０記載の発明によれば、電話機の発信方法は、電話機は、ヘッドセットを用いて通話するためのヘッドセット機能をさらに有し、電話帳部に記録された電話番号データが表示部に表示され、ヘッドセット機能による通話に切り替えるためのヘッドセットボタンが押下されると、電話帳機能を用いた発信が行われようとしていることが構内交換機又はコールマネージャに伝えられる請求項５から１９のいずれか１項に記載の電話機の発信システムであることを特徴とするものである。
【００３１】
請求項２１記載の発明によれば、電話機の発信方法は、電話帳機能を用いた発信が行われようとしていることの伝達は、電話機の制御部が、電話帳部に記録された電話番号データが表示部に表示されたという情報と、ヘッドセット機能による通話に切り替えるためのヘッドセットボタンが押下されたという情報とを、電話機のインターフェースを介して、構内交換機又はコールマネージャに伝えることにより行われる請求項２０記載の電話機の発信システムであることを特徴とするものである。
【００３２】
請求項２２記載の発明によれば、電話機の発信方法は、電子電話帳を用いて発信ができる電話帳発信機能と、複数の電話番号により発着信ができるマルチライン機能と、を有する電話機の電話帳部に記録されている複数の電話番号データの中から、特定の電話番号を選択し、電話番号を電話機の表示部に表示するステップと、電話機のフックスイッチをオフフックにするステップと、表示部に電話番号が表示されたことと、フックスイッチがオフフックされたことと、を電話機から構内交換機又はコールマネージャへ伝えるステップと、構内交換機又はコールマネージャからのダイヤル送出の指示を受け取るまで電話機を待機させるステップと、構内交換機又はコールマネージャの制御部により電話機のマルチラインにおける着信中状態と通話中状態と空き状態とを判断するステップと、マルチラインにおいて空き状態のラインがある場合に構内交換機又はコールマネージャから電話機にダイヤル送出の指示を行うステップと、電話機が、ダイヤル送出の指示を構内交換機又はコールマネージャから受け取ると、表示部に表示された電話番号を、構内交換機又はコールマネージャに送出して、ダイヤル発信を行うステップと、マルチラインにおいて空き状態のラインがなく、着信中状態または通話中状態の場合は、ダイヤル送出の指示を行わず、ダイヤル発信の処理を中止するステップと、を有することを特徴とするものである。
【００３３】
請求項２３記載の発明によれば、電話機の発信方法は、電子電話帳を用いて発信ができる電話帳発信機能と、複数の電話番号により発着信ができるマルチライン機能と、ハンドセットの外部にあるスピーカとマイクとを用いて通話するためのハンズフリー機能と、を有する電話機の電話帳部に記録されている複数の電話番号データの中から、特定の電話番号を選択し、電話番号を電話機の表示部に表示するステップと、ハンズフリー機能による通話に切り替えるためのスピーカボタンが押下されるステップと、表示部に電話番号が表示されたことと、スピーカボタンが押下されたことと、を電話機から構内交換機又はコールマネージャへ伝えるステップと、構内交換機又はコールマネージャからのダイヤル送出の指示を受け取るまで電話機を待機させるステップと、構内交換機又はコールマネージャの制御部により電話機のマルチラインにおける着信中状態と通話中状態と空き状態とを判断するステップと、マルチラインにおいて空き状態のラインがある場合に構内交換機又はコールマネージャから電話機にダイヤル送出の指示を行うステップと、電話機が、ダイヤル送出の指示を構内交換機又はコールマネージャから受け取ると、表示部に表示された電話番号を、構内交換機又はコールマネージャに送出して、ダイヤル発信を行うステップと、マルチラインにおいて空き状態のラインがなく、着信中状態または通話中状態の場合は、ダイヤル送出の指示を行わず、ダイヤル発信の処理を中止するステップと、を有することを特徴とするものである。
【００３４】
請求項２４記載の発明によれば、電話機の発信方法は、電子電話帳を用いて発信ができる電話帳発信機能と、複数の電話番号により発着信ができるマルチライン機能と、ヘッドセットを用いて通話するためのヘッドセット機能と、を有する電話機の電話帳部に記録されている複数の電話番号データの中から、特定の電話番号を選択し、該電話番号を前記電話機の表示部に表示するステップと、ヘッドセット機能による通話に切り替えるためのヘッドセットボタンが押下されるステップと、表示部に前記電話番号が表示されたことと、ヘッドセットボタンが押下されたことと、を電話機から構内交換機又はコールマネージャへ伝えるステップと、構内交換機又はコールマネージャからのダイヤル送出の指示を受け取るまで電話機を待機させるステップと、構内交換機又はコールマネージャの制御部により電話機のマルチラインにおける着信中状態と通話中状態と空き状態とを判断するステップと、マルチラインにおいて空き状態のラインがある場合に構内交換機又はコールマネージャから電話機にダイヤル送出の指示を行うステップと、電話機が、ダイヤル送出の指示を構内交換機又はコールマネージャから受け取ると、表示部に表示された電話番号を、構内交換機又はコールマネージャに送出して、ダイヤル発信を行うステップと、マルチラインにおいて空き状態のラインがなく、着信中状態または通話中状態の場合は、ダイヤル送出の指示を行わず、ダイヤル発信の処理を中止するステップと、を有することを特徴とするものである。
【００３５】
請求項２５記載の発明によれば、電話機の発信方法は、マルチライン機能と電話帳機能とを有する電話機の電話帳部に記録されている複数の電話番号データの中から、特定の電話番号を選択し、電話番号を電話機の表示部に表示するステップと、電話機のフックスイッチをオフフックにするステップと、表示部に電話番号が表示されたこととフックスイッチがオフフックされたこととを電話機から構内交換機又はコールマネージャへ伝えるステップと、表示部に表示された電話番号を含む電話帳ダイヤル発信情報を、構内交換機又はコールマネージャへ伝えるステップと、構内交換機又はコールマネージャの制御部により電話機のマルチラインにおける着信中状態と通話中状態と空き状態とを判断するステップと、マルチラインにおいて空き状態のラインがある場合に電話帳ダイヤル発信情報の中に含まれる電話番号を用いて空き状態のラインでダイヤル発信するステップと、マルチラインにおいて空き状態のラインがなく、着信中状態または通話中状態の場合は、ダイヤル発信を中止することを特徴とするものである。
【００３６】
請求項２６記載の発明によれば、電話機の発信方法は、電話帳ダイヤル発信情報の先頭と末尾に、通常のダイヤルボタンによる発信と区別できる識別符号を付与する請求項２５記載の電話機の発信方法であることを特徴とするものである。
【００３７】
請求項２７記載の発明によれば、電話機の発信方法は、電子電話帳を用いて発信ができる電話帳発信機能と、複数の電話番号により発着信ができるマルチライン機能と、ハンドセットの外部にあるスピーカとマイクとを用いて通話するためのハンズフリー機能と、を有する電話機の電話帳部に記録されている複数の電話番号データの中から、特定の電話番号を選択し、電話番号を電話機の表示部に表示するステップと、ハンズフリー機能による通話に切り替えるためのスピーカボタンが押下されるステップと、表示部に電話番号が表示されたことと、スピーカボタンが押下されたことと、を電話機から構内交換機又はコールマネージャへ伝えるステップと、表示部に表示された電話番号を含む電話帳ダイヤル発信情報を、構内交換機又はコールマネージャへ伝えるステップと、構内交換機又はコールマネージャの制御部により電話機のマルチラインにおける着信中状態と通話中状態と空き状態とを判断するステップと、マルチラインにおいて空き状態のラインがある場合に電話帳ダイヤル発信情報の中に含まれる電話番号を用いて空き状態のラインでダイヤル発信するステップと、マルチラインにおいて空き状態のラインがなく、着信中状態または通話中状態の場合は、ダイヤル発信を中止するステップと、を有することを特徴とするものである。
【００３８】
請求項２８記載の発明によれば、電話機の発信方法は、電子電話帳を用いて発信ができる電話帳発信機能と、複数の電話番号により発着信ができるマルチライン機能と、ヘッドセットを用いて通話するためのヘッドセット機能と、を有する電話機の電話帳部に記録されている複数の電話番号データの中から、特定の電話番号を選択し、電話番号を電話機の表示部に表示するステップと、ヘッドセット機能による通話に切り替えるためのヘッドセットボタンが押下されるステップと、表示部に電話番号が表示されたことと、ヘッドセットボタンが押下されたことと、を電話機から構内交換機又はコールマネージャへ伝えるステップと、表示部に表示された電話番号を含む電話帳ダイヤル発信情報を、構内交換機又はコールマネージャへ伝えるステップと、構内交換機又はコールマネージャの制御部により電話機のマルチラインにおける着信中状態と通話中状態と空き状態とを判断するステップと、マルチラインにおいて空き状態のラインがある場合に電話帳ダイヤル発信情報の中に含まれる電話番号を用いて空き状態のラインでダイヤル発信するステップと、マルチラインにおいて空き状態のラインがなく、着信中状態または通話中状態の場合は、ダイヤル発信を中止するステップと、を有することを特徴とするものである。
【００３９】
【発明の実施の形態】
次に、添付図面を参照して本発明による電話機の発信システム及び発信方法の実施の形態を詳細に説明する。
【００４０】
本発明は、複数の電話番号でのマルチライン発着信ができ、かつ電話帳からのダイヤル発信ができる電話機１に対して、構内交換機２からの指示でダイヤル送出する発信方式であることを特徴としている。
【００４１】
以下、本発明による電話機の発信システム及び発信方法の一実施形態について説明する。
【００４２】
図１には、本発明による電話機の発信システム及び発信方法の一実施形態のシステム構成が示されている。
【００４３】
図１において、電話機発信システム１００は、電話機１と、構内交換機２と、を有して構成され、構内交換機２は、制御部３と、ラインインターフェース４と、を有して構成される。
【００４４】
構内交換機２の制御部３は、電話機１のマルチラインの着信中状態と通話中状態と空き状態を常に把握しており、電話機１のユーザが、電話帳からのダイヤル発信操作をする時、マルチラインが空き状態の時だけ、電話機１に対して、ラインインターフェース４を介してダイヤル送出する指示を出すという動作を実行する。
なお、ダイヤル送出とは、発呼者が希望する通話先の番号数字を交換機に教えることを意味し、以下も同様とする。
【００４５】
電話機１は、構内交換機２からのダイヤル送出の指示を受けると、電話帳からのダイヤル発信を実行する。
【００４６】
したがって、電話機１のユーザは、マルチラインの着信中状態と通話中状態と空き状態であることを気にすることなく、簡単な操作で、電話帳からダイヤル発信できるという効果が得られる。
【００４７】
図２には、本発明による電話機の発信システム及び発信方法の一実施形態における電話機が示されている。
【００４８】
図２を参照すると、電話機１は、マルチライン部５、電話帳部６と、電話帳操作部７と、ハンドセット８と、フックスイッチ９と、表示部１０と、制御部１１と、ラインインターフェース１２と、を有して構成される。
【００４９】
マルチライン部５は、複数の電話番号でのマルチライン発着信ができるようにする。電話帳部６は、電話番号データを記録する。電話帳操作部７は、ユーザに操作されて、電話帳部６に記録されている電話番号データを表示部１０に表示させる。表示部１０は、電話帳の電話番号を表示する。ラインインターフェース１２は、ダイヤル送出の指示を受ける。ハンドセット８は、受信機と送信機とが組み合わされ、片手で持てるように設計された送受話器である。フックスイッチ９は、ハンドセット８が持ち上げられると、回線を通話可能状態にするスイッチである。制御部１１は以上の各部を制御する。
【００５０】
電話機１のユーザは、電話帳操作部７を操作し、電話帳部６に記録されている電話番号データを表示部１０に表示する。この時、ユーザが、ハンドセット８を持ち上げると、フックスイッチ９がオフフックしていることを制御部１１によって処理され、電話機１は、ラインインターフェース１２を介して、図１の構内交換機２に向けて、電話帳からの発信であることと、オフフックしていることを伝える。
【００５１】
構内交換機２の制御部３は、電話機１から電話帳からの発信であることと、オフフックしていることを伝えられると、電話機１のマルチラインの着信中状態と通話中状態と空き状態とを検索し、空き状態ならば、ラインインターフェース４を介して、電話機１に向けてダイヤル送出する指示を出すという動作を実行する。
【００５２】
電話機１は、構内交換機２からのダイヤル送出の指示を受けると、表示部１０に表示された電話番号を、ラインインターフェース１２を介して、構内交換機２に送出し、ダイヤル発信を行う。
【００５３】
以下、本実施形態の動作についてさらに説明する。
【００５４】
まず、電話機１の電話帳からのダイヤル発信動作ついて図３のタイミング図を用いて説明する。図３には、本発明による電話機の発信システム及び発信方法の一実施形態における電話帳からのダイヤル発信動作のフローチャートが示されている。
【００５５】
電話機１のユーザが、電話帳操作部７を操作し、電話帳部６に記録されている複数の電話番号データの中から、登録名などにより検索し、ダイヤルしたい相手の電話番号を表示部１０に表示する（ステップＳ３１）。そして、表示部１０に電話帳の電話番号を表示したことを構内交換機に伝える情報を、情報（１）する。
【００５６】
次に、ユーザが、電話帳からのダイヤル発信を行おうとして、ハンドセット８を持ち上げると、フックスイッチ９がオフフックされる（ステップＳ３２）。そして、フックスイッチ９がオフフックされたことを構内交換機２に伝える情報を、情報（２）とする。
【００５７】
上記の情報（１）と情報（２）とを構内交換機２へ伝える（ステップＳ３３）。その後、電話機１は、構内交換機２からのダイヤル送出の指示を受け取るまで待機する。
【００５８】
ダイヤル送出の指示を構内交換機２から受け取ると（ステップＳ３４でＹＥＳ）、電話機１は、表示部１０に表示された電話帳の電話番号を、ラインインターフェース１２を介して構内交換機２に送出し、ダイヤル発信を行う（ステップＳ３５）。
【００５９】
ダイヤル送出の指示を構内交換機２から受け取らない時は（ステップＳ３５でＮＯ）、マルチラインが着信中又は、通話中のため、ダイヤル発信の処理を中止する（ステップＳ３６）。
【００６０】
一方、構内交換機２の動作については、図４のタイミング図に従って実行される。図４には、本発明による電話機の発信システム及び発信方法の一実施形態における構内交換機の動作のフローチャートが示されている。
【００６１】
電話機１から、上述の情報（１）と情報（２）とを受け取ると（ステップＳ４１）、構内交換機２の制御部３は、把握しているマルチラインの着信中状態と通話中状態と空き状態とを判断して、空き状態の時は（ステップＳ４２でＹＥＳ）、ラインインターフェース４を介して、電話機１に対してダイヤル送出の指示を出す（ステップＳ４３）。
【００６２】
空き状態でなく、マルチラインが着信中状態や通話中状態の時は（ステップＳ４２でＮＯ）、ダイヤル送出の指示を出す処理を中止する（ステップＳ４４）。
【００６３】
ダイヤル送出の指示を出すまでの、電話機１と構内交換機２との間の情報の流れを図５に説明する。図５には、本発明による電話機の発信システム及び発信方法の一実施形態における電話機と構内交換機との間の情報の流れのフローチャートが示されている。
【００６４】
電話機１は、情報（１）と情報（２）を構内交換機２へ送出する。構内交換機２は、図４のフローチャートに従い、電話機１へダイヤル送出の指示を出す。電話機１は、図３のフローチャートに従い、構内交換機２へダイヤル発信を出す。
【００６５】
このように、電話機１の図３のフローと、構内交換機２の図４のフローにより、電話機１のユーザは、マルチラインの着信中状態と通話中状態と空き状態であることを気にすることなく、簡単な操作で、電話帳からダイヤル発信できるという効果が得られる。
【００６６】
以下、本発明による電話機の発信システム及び発信方法の他の実施形態について説明する。
【００６７】
前述の実施形態では、電話帳からのダイヤル発信を行おうとする情報を、ハンドセット８を持ち上げたオフフックの情報（２）としているが、図６に示すように、電話機１にハンズフリー１３が実装されている場合は、スピーカーボタン１４の押下を電話帳からのダイヤル発信を行おうとする情報（２）としてもよい。
なお、ハンズフリーとは、いわゆるスピーカーフォンのことをいう。
【００６８】
また、図７に示すように、ヘッドセット１５が接続されている場合は、ヘッドセットボタン１６の押下を電話帳からのダイヤル発信を行おうとする情報（２）としてもよい。
なお、ヘッドセットとは、マイクロホンの付いたヘッドホンのことをいう。
【００６９】
また、電話帳部６については、前述の実施形態では、電話機１に内蔵されているが、図８に示すように、構内交換機２に内蔵する構成も可能である。
【００７０】
本発明の他の実施形態の基本的構成としては、上記の構成が考えられるが、本発明が適用される電話システムについてもさらに応用が可能である。その実施例を図９に示す。
【００７１】
本図においては、電話機１と構内交換機２の信号線ラインをＩＰネットワーク２０を介して接続するために、電話機１はＩＰインターフェース１９を実装する。
同様に、構内交換機２は、ＩＰインターフェース１８を実装する。
【００７２】
このようなＩＰインターフェース１８と、ＩＰインターフェース１９と、ＩＰネットワーク２０と、により、本発明をＩＰ電話システムに応用できる。
【００７３】
そして、本実施例のように、ＩＰネットワーク２０に接続可能にすることにより、電話機１や、構内交換機２に内蔵した電話帳部６だけではなく、ＩＰネットワーク２０を介して接続される電話帳サーバ２１の電話帳部６からのダイヤル発信の場合にも、電話機１のユーザは、マルチラインの着信中状態と通話中状態と空き状態であることを気にすることなく、簡単な操作で、電話帳からのダイヤル発信できるという効果が得られる。
【００７４】
なお、本実施例において、構内交換機２は、図１０に示すような、制御部３を有するコールマネージャ２２としてもよい。
【００７５】
また、図９で説明した、電話機１のＩＰインターフェース１９を図１１に示すように、無線ＬＡＮインターフェース２４に置き換えることが可能であり、その場合、無線ＬＡＮ接続装置２３を介して、構内交換機２のＩＰインターフェース１８と接続される。
【００７６】
このように無線ＬＡＮを利用することにより、電話機１の設置場所として、物理的に離れている場所に設置することが可能になり、モバイルユーザにも、本発明の効果を得させることができる。
【００７７】
また、図１２に示すように、電話機１にデジタルコードレス無線部２７を実装し、構内交換機２にデジタルコードレスインターフェース２５を実装することで、上述した電話帳からのダイヤル送出の指示の情報をデジタルコードレス接続装置２６を介して、電話機１に送出することができる。つまり、電話機１をデジタルコードレス電話機（ＰＨＳ）として運用することができる。
【００７８】
本発明が適用される電話システムとしては上記のシステムが考えられるが、電話帳からのダイヤル発信動作については、更に工夫が可能である。
【００７９】
まず、図１３を用いて、本発明による電話機の発信システム及び発信方法の他の実施形態における電話帳からのダイヤル発信動作ついて説明する。
【００８０】
情報（１）と情報（２）は、既に説明の通りであるが、ユーザが電話帳からのダイヤル発信を行おうとする時、さらに、電話機１から電話帳で検索表示した相手先電話番号を電話帳ダイヤル発信情報（３）として、情報（１）と情報（２）の後に、構内交換機２へ伝えられる。この電話帳ダイヤル発信情報（３）は、電話帳からのダイヤル発信と分かるように、情報の先頭と末尾に、識別符号を付与し、通常のダイヤルボタンからの発信と区別される。
【００８１】
次に、図１４を用いて、本実施形態における構内交換機の動作ついて説明する。
【００８２】
構内交換機２の動作に付いては図１４のフローチャートに従って実行される。
すなわち、電話機１から、既に説明した情報（１）と情報（２）と電話帳ダイヤル発信情報（３）を受け取ると（ステップＳ１４１）、構内交換機２の制御部３は、把握しているマルチラインの着信中状態と通話中状態と空き状態とを判断して、空き状態の時は（ステップＳ１４２でＹＥＳ）、電話帳ダイヤル発信情報（３）の中に含まれる相手先電話番号に空きラインでダイヤル発信する指示を出す（ステップＳ１４３）。
【００８３】
空き状態でなく、マルチラインが着信中状態や通話中状態の時は（ステップＳ１４２でＮＯ）、ダイヤル発信する指示を出す処理を中止する（ステップＳ１４４）。
【００８４】
この電話帳ダイヤル発信情報（３）を利用する方式では、電話機１側で構内交換機２から出る信号を受け取るまで待機する処理が無いために、電話機１側の処理が軽くなるという特長がある。
【００８５】
【発明の効果】
請求項１から２８記載の発明によれば、電話機のマルチラインの呼状態（着信中、通話中、空き）を構内交換機側で把握し、構内交換機からの指示に従って発信することが可能となるので、電話機のユーザは、マルチラインが着信中状態か通話中状態か空き状態かや、電話帳からのダイヤル発信か着信呼に対する応答かを意識せずに、簡単な操作で電話帳からのダイヤル発信ができる。
【００８６】
請求項７から２１記載の発明によれば、電話機にデジタルコードレス無線部が実装され、構内交換機にデジタルコードレスインターフェースが実装されるので、上述した電話帳からのダイヤル送出の指示の情報をデジタルコードレス接続装置を介して、電話機に送出することができる。つまり、電話機をデジタルコードレス電話機（ＰＨＳ）として運用することができる。
【００８７】
請求項８から２１記載の発明によれば、ＩＰインターフェースと、ＩＰネットワークと、により、本発明をＩＰ電話システムに適用できる。また、ＩＰネットワークに接続可能となることにより、電話機や、構内交換機に内蔵した電話帳部だけではなく、ＩＰネットワークを介して接続される電話帳サーバの電話帳部からのダイヤル発信の場合にも、本発明を適用できる。
【００８８】
請求項９から２１記載の発明によれば、ＩＰネットワークを介して接続される電話帳サーバの電話帳部からのダイヤル発信の場合にも、電話機のユーザは、マルチラインの着信中状態と通話中状態と空き状態であることを気にすることなく、簡単な操作で、電話帳からのダイヤル発信をできるという効果が得られる。
【００８９】
請求項１０から２１記載の発明によれば、無線ＬＡＮを利用することにより、電話機の可搬性が高まり、有線通信ケーブルから物理的に離れている場所に電話機を設置することが可能になるので、そのような場所で電話機を利用するモバイルユーザにも、本発明の効果を得させることができる。
【００９０】
請求項１６から２１、２５から２８記載の発明によれば、電話帳ダイヤル発信情報が利用されることにより、電話機側で構内交換機から出る信号を受け取るまで待機する処理が無くなるので、電話機側の処理を軽くすることができる。
【図面の簡単な説明】
【図１】本発明による電話機の発信システム及び発信方法の一実施形態のシステム構成図である。
【図２】本発明による電話機の発信システム及び発信方法の一実施形態における電話機の構成図である。
【図３】本発明による電話機の発信システム及び発信方法の一実施形態における電話帳からのダイヤル発信動作のフローチャートである。
【図４】本発明による電話機の発信システム及び発信方法の一実施形態における構内交換機の動作のフローチャートである。
【図５】本発明による電話機の発信システム及び発信方法の一実施形態における電話機と構内交換機との間の情報の流れの説明図である。
【図６】本発明による電話機の発信システム及び発信方法の他の実施形態における電話機の構成図である。
【図７】本発明による電話機の発信システム及び発信方法の他の実施形態における電話機の構成図である。
【図８】本発明による電話機の発信システム及び発信方法の他の実施形態のシステム構成図である。
【図９】本発明による電話機の発信システム及び発信方法の他の実施形態のシステム構成図である。
【図１０】本発明による電話機の発信システム及び発信方法の他の実施形態のシステム構成図である。
【図１１】本発明による電話機の発信システム及び発信方法の他の実施形態のシステム構成図である。
【図１２】本発明による電話機の発信システム及び発信方法の他の実施形態のシステム構成図である。
【図１３】本発明による電話機の発信システム及び発信方法の他の実施形態における電話機と構内交換機との間の情報の流れの説明図である。
【図１４】本発明による電話機の発信システム及び発信方法の他の実施形態における構内交換機の動作のフローチャートである。
【図１５】従来の電話機の発信システム及び発信方法の説明図である。
【符合の説明】
１  電話機
２  構内交換機
３、１１  制御部
４、１２  ラインインターフェース
５  マルチライン部
６  電話帳部
７  電話帳操作部
８  ハンドセット
９  フックスイッチ
１０  表示部
１３  ハンズフリー
１４  スピーカーボタン
１５  ヘッドセット
１６  ヘッドセットボタン
１８、１９  ＩＰインターフェース
２０  ＩＰネットワーク
２１  電話帳サーバ
２２  コールマネージャ
２３  無線ＬＡＮ接続装置
２４  無線ＬＡＮインターフェース
２５  デジタルコードレスインターフェース
２６  デジタルコードレス接続装置
２７  デジタルコードレス無線部
１００、１０１、１０２、１０３、１０４、１０５  電話機発信システム
【図１】
2004328522.tif 000003
【図２】
2004328522.tif 000004
【図３】
2004328522.tif 000005
【図４】
2004328522.tif 000006
【図５】
2004328522.tif 000007
【図６】
2004328522.tif 000008
【図７】
2004328522.tif 000009
【図８】
2004328522.tif 000010
【図９】
2004328522.tif 000011
【図１０】
2004328522.tif 000012
【図１１】
2004328522.tif 000013
【図１２】
2004328522.tif 000014
【図１３】
2004328522.tif 000015
【図１４】
2004328522.tif 000016
【図１５】
2004328522.tif 000017